(57)【要約】【課題】１枚の絵柄シートであっても２つの動画パターンを記録させることができ、２つの動画パターンの中から任意の動画パターンを選択して表示させることができるアニメーション表示装置を提供すること。【解決手段】装置本体は前面に半球状のレンズ３ａが並設されたレンズパネル３と、該レンズパネル３の裏側をスライド移動するとともに透光性を有する絵柄シート５と、該絵柄シート５を背面側から照射する照明６とを備えるとともに、上記レンズパネル３を上記絵柄シート５のスライド方向に直交して所定量移動させる移動機構Ａを設け、上記絵柄シート５は上記レンズ３ａの間隔Ｌ１の半分のピッチＬ２で配置されるドットで構成された絵柄データが表記され、上記レンズパネル３の背面全面に設けた遮光体７の各レンズ３ａに対応する位置には上記照明６の光を透過させる透過孔８を形成した。【選択図】　　　　図２
2004105387.tif 000002
【特許請求の範囲】
【請求項１】
以下の要件を備えることを特徴とするアニメーション表示装置。
（イ）装置本体は前面に半球状のレンズが上下左右に等間隔に並設されたレンズパネルと、該レンズパネルの裏側を上下方向又は左右方向にスライド移動するとともに透光性を有する絵柄シートと、該絵柄シートを背面側から照射する照明とを備えるとともに、上記レンズパネルを上記絵柄シートのスライド移動方向に直交して所定量移動させる移動機構が設けてあること
（ロ）上記絵柄シートは上記レンズの間隔の半分のピッチで配置されるドットで構成された絵柄データが表記されていること
（ハ）上記レンズパネルの背面全面には遮光体が設けられ、該遮光体の各レンズに対応する位置には上記照明の光を透過させる透過孔が形成されていること
【発明の詳細な説明】
【０００１】
【発明の属する技術分野】
本発明は、アニメーション表示装置に関する。
【０００２】
【従来の技術】
従来、静止画を動画のようにしてみるために線状に書かれた絵柄をレンチキュラーレンズを透してみる玩具が提案されている。このレンチキュラーレンズは蒲鉾状の凸レンズを並接して形成したもので、線状に書かれた絵柄をレンチキュラーレンズの裏側をレンズに直交する方向に移動させることにより動画としてみることができるようになっているものである（例えば、特許文献１参照）。
【０００３】
【特許文献１】
実開昭６２−１３０６９８号公報（図１）
【０００４】
【発明が解決しようとする課題】
しかしながら、上述の文献に記載された玩具は、レンチキュラーレンズを用いているため、絵柄のシートはレンチキュラーレンズのレンズに直交する方向にしか表示が変化しないため、絵柄の動作パターンは１つのパターンに限定されていた。
【０００５】
本発明は上記問題点を解消し、１枚の絵柄シートであっても２つの動画パターンを記録させることができ、２つの動画パターンの中から任意の動画パターンを選択して表示させることができるアニメーション表示装置を提供することをその課題とする。
【０００６】
【課題を解決するための手段】
前記課題を解決するため、本発明に係るアニメーション表示装置は、以下の要件を備えることを特徴とする。
（イ）装置本体は前面に半球状のレンズが上下左右に等間隔に並設されたレンズパネルと、該レンズパネルの裏側を上下方向又は左右方向にスライド移動するとともに透光性を有する絵柄シートと、該絵柄シートを背面側から照射する照明とを備えるとともに、上記レンズパネルを上記絵柄シートのスライド移動方向に直交して所定量移動させる移動機構が設けてあること
（ロ）上記絵柄シートは上記レンズの間隔の半分のピッチで配置されるドットで構成された絵柄データが表記されていること
（ハ）上記レンズパネルの背面全面には遮光体が設けられ、該遮光体の各レンズに対応する位置には上記照明の光を透過させる透過孔が形成されていること
【０００７】
【発明の実施の形態】
図１及び図２は、本発明に係るアニメーション表示装置の一例を示す斜視図及び分解斜視図を示し、このアニメーション表示装置は装置本体１の前面に開口部２が形成され、この開口部２の内側にはレンズパネル３が上下方向に移動可能に配置され、前面に配置されたレバー４を左右方向にスライドさせるとレンズパネル３が上下動するようになっている。
【０００８】
装置本体１の内部には、レンズパネル３の裏面側に透光性を有する絵柄シート５が配置され、絵柄シート５を裏面から照明６で照らして絵柄シート５に表示された絵柄をレンズパネル３を通して見ることができるようになっている。
【０００９】
上記照明６は電球で構成され、この電球６は先端が反射板９の中央の開口部９ａから前方に突出するように配置され、電球６の明かりは反射板９で反射されてレンズパネル３の裏側面を通過する絵柄シート５を裏面側から照射するようになっている。
【００１０】
上記レンズパネル３はアクリル樹脂などの透明な樹脂で板状に形成されるとともに、表面には半球状のレンズ３ａが上下左右方向に等間隔Ｌ１（本発明では、５ミリ間隔に設定）に突出して一体に形成されている。
【００１１】
そして、レンズパネル３の背面には遮光体７が配置されている。この遮光体７は、図３（ａ）に示すように、レンズパネル３の背面に密着するとともに、各レンズ３ａの中心に対応する位置には所定の大きさ（本発明では直径１．５ミリの円形）の透過孔８が形成されているもので、本発明では、上記遮光体７を不透明な白色のインクで上記レンズパネル３の背面にシルク印刷により形成しているが、この遮光体７は透過孔８が形成された遮光性を有するビニールや紙などのシートで構成し（図３（ｂ）参照）、レンズパネル３の背面に貼着しても構わない。
【００１２】
上記レンズパネル３はレバー４を左右にスライド操作すると移動機構Ａにより上下に移動するようになっている。この移動機構Ａは、レンズパネル３の下部前面に左右にスライド可能に配置されたスライダー１０で構成され、このスライダー１０は装置本体１の前面に配置されたレバー４を左右方向に移動させるとレンズパネル３の前面を左右にスライド移動することができるようになっているもので、スライダー１０の両端部には左上がりに斜めの長孔１１が形成され、この長孔１１にはレンズパネル３の下部に設けられた係合ピン１２が挿通している。そして，スライダー１０の中央下部には突片１０ａが下方に突出して形成され、この突片１０ａの上方には左右方向に長孔１３が形成され、長孔１３が撓むことによって突片１０ａが装置本体１の内部に固定されている位置決め部材１４のストッパー１４ａを乗り越えることができるようになっており、スライダー１０を右にスライド移動させると、レンズパネル３は上昇し（図４（ａ）参照）、スライダー１０を左にスライド移動させると、レンズパネル３は下降するようになっている（図４（ｂ）参照）。このレンズパネル３の上下方向の移動量Ｌ３はレンズ３ａの間隔Ｌ１の半分の移動量になるように設定されている。
【００１３】
絵柄シート５は透光性を有する紙若しくは樹脂製のシートをループ状にしたもので、上側にはスプロケット孔１６が形成され、送り機構Ｂによって周回するようになっている。
【００１４】
送り機構Ｂはモータ１７によって駆動されるドラム１８と３つのプーリ１９とから構成され、ドラム１８の上部周面にはスプロケット２０が形成され、上記絵柄シート５をドラム１８とプーリ１９とに掛け渡すことにより、モータ１７の回転で絵柄シート５を一定の速度で周回させることができるようになっている。
【００１５】
ところで、上記絵柄シート５の表面には絵柄データＤが表示されている。この絵柄データＤはレンズ３ａの間隔Ｌ１の半分のピッチＬ２で上下左右に配置された区画内に配置されたドットｄで構成され、上から奇数行目の区画Ａ１、Ａ２内に配置されたドットで構成された第１の絵柄データＤ１と、上から偶数行目の区画Ｂ１、Ｂ２内に配置されたドットｄで構成された第２の絵柄データＤ２とが合成されて構成されているもので、第１の絵柄データＤ１及び第２の絵柄データＤ２の左右方向に配置されたドットｄは動画を構成している。
【００１６】
例えば、図５（ａ）の絵柄シート５の一部に示すように、絵柄データＤは、ジャンプする人間を表示する２パターンの動画と、泳ぐ魚を表示する２パターンの動画とから構成されているもので、第１の絵柄データＤ１はジャンプする人間を（図６（ａ）（ｂ）参照）、第２の絵柄データＤ２は泳ぐ魚を（図６（ｃ）（ｄ）参照）それぞれ表示し、一部拡大図で示すように、絵柄データＤ１は奇数列の区画Ａ１に表示されたドットｄと偶数列の区画Ａ２に表示されたドットｄとから構成され、絵柄データＤ２は奇数列の区画Ｂ１に表示されたドットｄと偶数列の区画Ｂ２に表示されたドットｄとから構成されている。
【００１７】
なお、図５（ａ）、図６（ａ）〜（ｄ）において、絵柄シート５に表示されている桝目は、区画Ａ１〜Ｂ２を判りやすくするために説明上表記したもので、実際の絵柄シート５には、図５（ｂ）に示すように、桝目は表記されることはなくドットｄのみが表示されているものである。
【００１８】
上記構成のアニメーション表示装置によれば、レバー４を右に引くとスライダー１０が右方向にスライドし、レンズパネル３のピンは長孔に沿って上がることになるので、レンズパネル３はレンズ３ａの配置間隔の半ピッチだけ上昇し、レンズ３ａの中心は第１の絵柄データＤ１を構成するドットの中心にくることになり、第１の絵柄データＤ１がレンズ３ａを介して視認できるようになる（図７（ａ）参照）。この状態で、図８（ａ）に示すように、奇数列目のドットＡ１がレンズ３ａに対応した場合は、図９（ａ）に示すような、人間が両手を下げて立っているアニメーションが表示され、絵柄シート５が左に移動し、図８（ｂ）に示すように、偶数列目のドットＡ２がレンズ３ａに対応する位置まで来ると、図９（ｂ）に示すような、人間が両手を上げて飛び上がったアニメーションが表示される。
【００１９】
また、レバー４を左に引くとスライダー１０が左方向にスライドし、レンズパネル３のピンは長孔に沿って下がることになるので、レンズパネル３はレンズ３ａの配置間隔の半ピッチだけ下降しレンズ３ａの中心は第２の絵柄データＤ２を構成するドットの中心にくることになり、第２の絵柄データＤ２がレンズ３ａを介して視認できるようになる（図７（ｂ）参照）。この状態で、図８（ａ）に示すように、奇数列目のドットＢ１がレンズ３ａに対応した場合は、図９（ｃ）に示すような、魚が左を向いたアニメーションが表示され、絵柄シート５が左に移動し、図８（ｂ）に示すように、偶数列目のドットＢ２がレンズ３ａに対応する位置まで来ると、図９（ｄ）に示すような、魚が上を向いたアニメーションが表示される。
【００２０】
上述のように、絵柄シート５が回転することにより、レンズ３ａに対応した絵柄データが順次表示されて動画が表示される。さらに、レバー４を上下させてレンズパネルの上下位置を変えることにより、絵柄シート５に配置された奇数行目のドット群か、偶数行目のドット群かの何れかのドットグループを選択することができ、２種類の動画を１枚の絵柄シート５で楽しむことができ、恰もＬＥＤの点灯制御をすることにより動画を表示させることができるＬＥＤ電光表示板と同じような表示を行なうことができる。
【００２１】
【発明の効果】
本発明によれば、絵柄シートを移動させることにより、レンズパネルのレンズに対応した位置の絵柄データが順次レンズを通して動画として表示されるとともに、レンズパネルを絵柄シートの移動方向と直交する方向に所定量移動させることにより１枚の絵柄シートを別の視点で見ることができるので、１枚の絵柄シートであっても２つの動画パターンを記録させることにより、２つの動画パターンの中から任意の動画パターンを選択して表示させることができる
【図面の簡単な説明】
【図１】本発明に係るアニメーション表示装置の斜視図
【図２】上記アニメーション表示装置の分解斜視図
【図３】（ａ）（ｂ）はレンズパネルの背面全面に設けられる遮光体の説明図
【図４】（ａ）（ｂ）は移動機構の動作説明図
【図５】（ａ）（ｂ）は絵柄データの説明図
【図６】（ａ）〜（ｄ）は第１の絵柄データと第２の絵柄データの説明図
【図７】（ａ）（ｂ）はレンズパネルと絵柄シートの上下方向の関係を説明する断面図
【図８】（ａ）（ｂ）はレンズパネルと絵柄シートの左右方向の関係を説明する断面図
【図９】（ａ）〜（ｄ）は第１の絵柄データと第２の絵柄データの表示状態を示す説明図
【符号の説明】
１　装置本体
２　開口部
３　レンズパネル
４　レバー
５　絵柄シート
６　照明
７　遮光体
８　透過孔
Ａ　移動機構
【図１】
2004105387.tif 000003
【図２】
2004105387.tif 000004
【図３】
2004105387.tif 000005
【図４】
2004105387.tif 000006
【図５】
2004105387.tif 000007
【図６】
2004105387.tif 000008
【図７】
2004105387.tif 000009
【図８】
2004105387.tif 000010
【図９】
2004105387.tif 000011